(57)【要約】【課題】見栄え良く且つ家具の設置等に支障をきたすことなくケーブルを通線する。【解決手段】通線部４が設けられたカバー本体２と、壁面Ｗに沿ってカバー本体２に連接される蓋体３とからなる器体１を備える。通線部４は、カバー本体２の背面より後方へ膨出する形でカバー本体２と一体に形成され、その前面側の開口４ａがカバー本体２に設けられ、前面側開口４ａの後方への投影範囲外に上向きに背面側の開口４ｂが設けられている。而して、通線部４がプレート６０並びに取付枠５０を介して壁Ｗの埋込孔Ｈの中へ収められて器体１の前面側へ突出しないから、見栄え良く且つ家具の設置等に支障をきたすことなくケーブル１１０を通線することが可能となる。【選択図】        図１
2005261165.tif 000002
【特許請求の範囲】
【請求項１】
造営面に設けられた埋込孔に埋込配設され、造営面の裏側に配線されたケーブルを埋込孔から表側に引き出すために用いられるものであって、造営面の表側に配設されて埋込孔を覆う器体と、器体の背面側より後方へ膨出し内部にケーブルが挿通される通線部とを備え、通線部は、一端側の開口が器体の前面に設けられるとともに、該前面側開口の後方への投影範囲外に他端側の開口が設けられてなることを特徴とする通線カバー。
【請求項２】
器体は、通線部が設けられたカバー本体と、造営面に沿ってカバー本体に連接される蓋体とからなり、通線部の両端の開口を蓋体と連接する側の端部で連通させたことを特徴とする請求項１記載の通線カバー。
【請求項３】
通線部の前面側開口周縁において蓋体と連接する側の部位に、通線部の前面側開口に向けて突出しケーブルが蓋体の方へ移動することを規制する規制リブが設けられたことを特徴とする請求項２記載の通線カバー。
【請求項４】
弾性を有する材料で器体が構成されるとともに、埋込型の配線器具を造営面に埋込配設するための取付枠に器体を着脱自在に取り付ける取付手段を備え、取付手段は、器体の端面に設けられて取付枠と係合する係合部からなることを特徴とする請求項１又は２又は３記載の通線カバー。
【請求項５】
取付枠に対して後方から当接して引っ掛かる引掛部が器体の背面側より突設されたことを特徴とする請求項４記載の通線カバー。
【請求項６】
カバー本体並びに蓋体は、造営面を形成する造営材に固定された部材にねじ止めされることを特徴とする請求項２記載の通線カバー。
【発明の詳細な説明】
【技術分野】
【０００１】
本発明は、造営面に設けられた埋込孔に埋込配設され、造営面の裏側に配線されたケーブルを埋込孔から表側に引き出すために用いられる通線カバーに関するものである。
【背景技術】
【０００２】
従来より、造営面に設けられた孔にケーブルを通線する際には、造営面の孔と連通してケーブルを通す挿通孔が設けられるとともに造営面に取り付けられて上記孔を覆う入線プレートが用いられていた（例えば、特許文献１参照）。
【０００３】
また、上記入線プレートはケーブルを屋外から屋内に入線する場合に用いられるものであるが、例えば、屋内の壁面の裏側に配線されたケーブル（例えば、電話線）を埋込孔から表側（室内側）に引き出す場合には、図１３に示すような通線カバー１００が用いられていた。
【０００４】
この通線カバー１００は、日本工業規格（ＪＩＳ  Ｃ  ８３７５）に規定されている大角形連用配線器具の取付枠を用いて壁面に設けられた埋込孔に埋込配設されるものであって、大角形連用配線器具の１個モジュールの寸法に形成された器体１０１と、器体１０１の前面から前方へ膨出し内部にケーブルが挿通される通線部１０２とを備え、通線部１０２の前面側の開口１０２ａが鉛直下方に向けて開口されている。なお、通線部１０２の前面側開口１０２ａの最大径φはケーブル（電話線）の直径よりも若干大きい程度であればよい（図示例ではφ≦１２ｍｍ）。
【特許文献１】特開２００１−１４５２３５公報
【発明の開示】
【発明が解決しようとする課題】
【０００５】
しかしながら、上記従来例では壁面よりも前方に通線部１０２が突出するため、見栄えが悪くなったり、あるいは家具を設置するときに通線部１０２が邪魔になるなどの問題があった。
【０００６】
本発明は上記問題に鑑みて為されたものであり、その目的は、見栄え良く且つ家具の設置等に支障をきたすことなくケーブルを通線することが可能な通線カバーを提供することにある。
【課題を解決するための手段】
【０００７】
請求項１の発明は、上記目的を達成するために、造営面に設けられた埋込孔に埋込配設され、造営面の裏側に配線されたケーブルを埋込孔から表側に引き出すために用いられるものであって、造営面の表側に配設されて埋込孔を覆う器体と、器体の背面側より後方へ膨出し内部にケーブルが挿通される通線部とを備え、通線部は、一端側の開口が器体の前面に設けられるとともに、該前面側開口の後方への投影範囲外に他端側の開口が設けられてなることを特徴とする。
【０００８】
この発明によれば、ケーブルが挿通される通線部は造営面に設けられた埋込孔の中へ収められて器体の前面側へ突出しないから、見栄え良く且つ家具の設置等に支障をきたすことなくケーブルを通線することが可能となる。
【０００９】
請求項２の発明は、請求項１の発明において、器体は、通線部が設けられたカバー本体と、造営面に沿ってカバー本体に連接される蓋体とからなり、通線部の両端の開口を蓋体と連接する側の端部で連通させたことを特徴とする。
【００１０】
この発明によれば、通線部の両端開口が連通させてある箇所からケーブルを通線部に挿通することができるため、通線部の開口よりも大きいコネクタなどがケーブルの先端に付設されている場合でも簡単に通線部に挿通することができる。
【００１１】
請求項３の発明は、請求項２の発明において、通線部の前面側開口周縁において蓋体と連接する側の部位に、通線部の前面側開口に向けて突出しケーブルが蓋体の方へ移動することを規制する規制リブが設けられたことを特徴とする。
【００１２】
この発明によれば、規制リブでケーブルの移動を規制することにより、ケーブルが蓋体に当接して蓋体が脱落するのを防ぐことができる。
【００１３】
請求項４の発明は、請求項１又は２又は３の発明は、弾性を有する材料で器体が構成されるとともに、埋込型の配線器具を造営面に埋込配設するための取付枠に器体を着脱自在に取り付ける取付手段を備え、取付手段は、器体の端面に設けられて取付枠と係合する係合部からなることを特徴とする。
【００１４】
この発明によれば、手で力を加えて器体を弾性変形させれば、係合部と取付枠との係合を解除して簡単に取り外すことができる。
【００１５】
請求項５の発明は、請求項４の発明において、取付枠に対して後方から当接して引っ掛かる引掛部が器体の背面側より突設されたことを特徴とする。
【００１６】
この発明によれば、器体が取付枠から外れ難くなる。
【００１７】
請求項６の発明は、請求項２の発明において、カバー本体並びに蓋体は、造営面を形成する造営材に固定された部材にねじ止めされることを特徴とする。
【００１８】
この発明によれば、カバー本体及び蓋体の脱落を確実に防ぐことができる。
【発明の効果】
【００１９】
本発明によれば、ケーブルが挿通される通線部は造営面に設けられた埋込孔の中へ収められて器体の前面側へ突出しないから、見栄え良く且つ家具の設置等に支障をきたすことなくケーブルを通線することが可能になるという効果がある。
【発明を実施するための最良の形態】
【００２０】
以下、図面を参照して本発明の実施形態を説明する。
【００２１】
本実施形態の通線カバーは、図１に示すように通線部４が設けられたカバー本体２と、造営面（壁面Ｗ）に沿ってカバー本体２に連接される蓋体３とからなる器体１を備える。カバー本体２は、図２に示すように熱可塑性樹脂（例えば、ＡＢＳ樹脂）にて矩形枠状に形成されている。通線部４は、カバー本体２の背面より後方へ膨出する形でカバー本体２と一体に形成され、その前面側の開口４ａがカバー本体２に設けられ、前面側開口４ａの後方への投影範囲外に上向きに背面側の開口４ｂが設けられている。そして、通線部４のこれら両端の開口４ａ，４ｂが、カバー本体２の蓋体３と連接する側の端部（図１における上側の端部）において連通させてある。また、通線部４の前面側開口４ａの周縁において蓋体３と連接する側の部位、すなわち、前面側開口４ａを挟んで対向するカバー本体２の上端部両側の部位には、通線部４の前面側開口４ａに向けて突出する一対の規制リブ５がカバー本体２と一体に設けられている。ここで、一対の規制リブ５の先端部間には、後述するようにケーブル１１０を通すことができる程度の間隔ｇが空けてある。
【００２２】
蓋体３は、図３に示すように熱可塑性樹脂（例えば、ＡＢＳ樹脂）により矩形平板状に形成され、背面側の左右両端からは後方へ突出する一対の係止脚６が一体に形成されている。これら一対の係止脚６の先端両側には外向きに突出する一対の係止爪６ａがそれぞれ一体に設けられている。なお、カバー本体２と蓋体３は左右の幅寸法が一致させてある。
【００２３】
本実施形態の通線カバーは、図１に示すように取付枠５０並びにフラッシプレート（以下、「プレート」と略す）６０を用いて、壁Ｗに設けられた埋込孔Ｈに埋込配設される。
【００２４】
取付枠５０は従来周知のものであって、金属板を打ち抜き及び曲げ加工することで窓孔５１を有する矩形枠状に形成され、左右両側片５２，５２の縦辺に穿設してある各一対の係止孔５３に埋込型の配線器具に設けられた係止爪を係止することにより、窓孔５１に一部が挿入された状態で配線器具が着脱自在に取り付けられる。また、取付枠５０の上下両側片５４には取付ねじ７０を挿通する長孔状のねじ挿通孔５５が穿設されている。そして、金属板により略Ｃ字状に形成されたはさみ金具８０を壁Ｗの裏側に配置し、はさみ金具８０の両端部に穿設されているねじ孔８１に取付ねじ７０を螺合することではさみ金具８０とともに壁Ｗを狭持する形で取付枠５０が壁Ｗの表面（壁面）に取り付けられる。
【００２５】
プレート６０は、合成樹脂成型品からなるプレート枠６１並びに化粧プレート６２で構成される従来周知のものである。プレート枠６１は窓孔６１ａを有する矩形枠状に形成され、上下両側片６１ｂに貫設されているねじ挿通孔６１ｃに挿通した固定ねじ７１を、取付枠５０の側片５４に穿設されているねじ孔５６に螺合することで取付枠５０を前方から覆うように取り付けられる。化粧プレート６２も窓孔６２ａを有する矩形枠状に形成され、背面側から後方へ突設されている係止爪（図示せず）を、プレート枠６１の左右両側片６１ｄに設けられている係止孔６１ｅに係止することでプレート枠６１を前方から覆うように取り付けられる。
【００２６】
一方、カバー本体２の上部両端面には、取付枠５０の左右両側片５２の横辺と係合する係合部７がそれぞれ一体に設けられている。この係合部７は、図２（ｂ）に示すようにカバー本体２の背面に対向する平坦な主部７ａと、主部７ａの上下方向両端より背面側に突出して主部７ａを支持する一対の支持部７ｂとからなり、主部７ａとカバー本体２の背面との間に形成される溝に取付枠５０の側片５２の横辺を嵌めるようにして係合するものである。また、カバー本体２の背面側下部には、先端部が下方へ湾曲し取付枠５０の下側側片５４に対して後方から当接して引っ掛かる引掛部８が突設されている。なお、この引掛部８は、カバー本体２の背面に設けられている一対の突条９の下端に連結されており、これら一対の突条９によって補強されている。
【００２７】
而して、引掛部８を取付枠５０の下側側片５４に引っ掛けた後、図５（ａ）に示すように取付枠５０の窓孔５１に前方（図５における上方）から通線部４を挿入していくと、取付枠５０の側片５２に支持部７ｂが当接し、側片５２から内向きの力を受けることでカバー本体２が弾性変形する（図５（ｂ）参照）。そして、カバー本体２をさらに取付枠５０の方へ押しつけると、やがて取付枠５０の側片５２が係合部７の主部７ａを乗り越え、図５（ｃ）に示すように主部７ａとカバー本体２の背面との間に形成される溝に取付枠５０の側片５２の横辺が嵌まって係合部７が取付枠５０に係合し、カバー本体２が取付枠５０に取り付けられる。一方、カバー本体２の係合部７と対向する部位を指でつまむようにしてカバー本体２を弾性変形させれば、係合部７と側片５２との係合が解除されてカバー本体２を取付枠５０から簡単に取り外すことができる。ここで、通線部４の幅寸法が後方から前方に向かって拡げてあるため、カバー本体２に前後方向（図５における上下方向）の力が加わった場合に係合部７の係合が解除され難くなっている。
【００２８】
一方、蓋体３は背面側から後方へ突出する一対の係止脚６に設けられている係止爪６ａを取付枠５０の左右両側片５２の横辺に後方から係止することにより、カバー本体２の上側に連接し且つ窓孔５１の上部を塞ぐ形で取付枠５０に取り付けられる（図４参照）。なお、蓋体３の側面には係止脚６を外部に臨ませる切り欠き３ａが設けられており、この切り欠き３ａにドライバなどの治具を差し込んでこじれば、係止脚６を撓ませて係止爪６ａを側片５２の横辺から離脱させて蓋体３を取付枠５０から取り外すことができる。
【００２９】
次に、図６を参照して本実施形態の通線カバーを壁Ｗに施工する手順について説明する。
【００３０】
まず、壁Ｗの裏に配線されているケーブル１１０を埋込孔Ｈを通して外へ引き出し、引き出したケーブル１１０を窓孔５１に通した状態で取付枠５０を取付ねじ７０ではさみ金具８０に取り付ける（図６（ａ）参照）。それから、ケーブル１１０を窓孔６１ａ，６２ａに通した状態でプレート枠６１を取付枠５０に取り付けるとともに化粧プレート６２をプレート枠６１に取り付ける（図６（ｂ）参照）。続いて、通線部４にケーブル１１０を通し（図６（ｃ）参照）、規制リブ５によってケーブル１１０の移動を規制した状態でカバー本体２を取付枠５０に取り付けた後、蓋体３を取付枠５０に取り付ければ、通線カバーの施工が完了する（図６（ｄ）参照）。なお、通線部４の背面側開口４ｂが前面側開口４ａの後方への投影範囲外に設けられているため、図４（ａ）に示すように埋込孔Ｈが前面側開口４ａを通して露出することがなく、見栄えがよいものである。
【００３１】
而して、本実施形態によれば、通線部４がプレート６０並びに取付枠５０を介して壁Ｗの埋込孔Ｈの中へ収められて器体１の前面側へ突出しないから、見栄え良く且つ家具の設置等に支障をきたすことなくケーブル１１０を通線することが可能となる。また、通線部４を埋込孔Ｈの中へ収める構造としたことにより、従来の通線カバー１００に比較して通線部４を大型化することができ、図６に示すように先端にコネクタ１１１が付設されたケーブル１１０や、あるいは多数のケーブルであっても通線部４に挿通することができる。しかも、通線部４が設けられたカバー本体２と、カバー本体２に連接される蓋体３とで器体１を構成し、通線部４の両端の開口４ａ，４ｂを蓋体３と連接する側の端部で連通させているため、通線部４の両端開口４ａ，４ｂが連通させてある箇所からケーブル１１０を通線部４に挿通することができ、通線部４の開口４ａ，４ｂよりも大きいコネクタなどがケーブルの先端に付設されている場合でも簡単に通線部４に挿通することができる。
【００３２】
ここで、ケーブル１１０が上方へ引っ張られた場合、ケーブル１１０が蓋体３に当たると蓋体３が取付枠５０から脱落してしまう虞があるが、本実施形態ではカバー本体２に設けた規制リブ５によりケーブル１１０が蓋体３に当接しないようにして蓋体３の脱落を防止している。なお、図７に示すように取付枠５０を壁Ｗに取り付けるための取付ねじ７０が挿通されるねじ挿通孔１０，１１をカバー本体２の下端部並びに蓋体３の上端部にそれぞれ貫設し、ねじ挿通孔１０，１１に挿通した取付ねじ７０により取付枠５０とともにはさみ金具８０にカバー本体２及び蓋体３をねじ止めする構造とすれば、規制リブ５がなくても蓋体３の脱落を確実に防止することができる。
【００３３】
また、図８に示すように通線部４の背面側開口４ｂの周縁にケーブル１１０が載ることでカバー本体２の下部に前向きの力が加わることがあるが、本実施形態ではカバー本体２の背面に設けた引掛部８を取付枠５０の下側側片５４に引っ掛けていることにより、上記前向きの力がカバー本体２に加えられてもカバー本体２が取付枠５０から外れ難くなっている。ここで、取付枠５０を壁Ｗに取り付けるための治具（はさみ金具８０’や取付ねじ７０）にケーブル１１０が当たると、それらの治具でケーブル１１０に傷を付けてしまう虞があるので、例えば、図９に示すように引掛部８の先端から後方へ突出し且つ先端部が下方へ湾曲した防御片１２を設け、この防御片１２によりケーブル１１０が治具に触れるのを防ぐことが望ましい。
【００３４】
ところで、通線部４の前面側開口４ａから引き出されたケーブルが器体１の前面から浮き上がると見栄えが良くないので、図１０〜図１２に示すようにケーブル１１０を固定する固定手段を器体１（カバー本体２）の前面に設けてもよい。すなわち、図１０に示すようにカバー本体２の前面下部より鈎形の一対の固定片２０を前方へ突設し、固定片２０とカバー本体２との間にケーブル１１０を通して固定したり、あるいは、図１１に示すようにカバー本体２の前面下部に設けた取付部２１に従来周知のインシュロックタイ２２を取り付け、インシュロックタイ２２を用いて取付部２１にケーブル１１０を固定したり、さらには、図１２に示すようにカバー本体２の前面下部に突設されている突台部２３の先端に押さえ部２４がねじ止めされ、この押さえ部２４によりケーブル１１０を押さえて固定すればよい。
【図面の簡単な説明】
【００３５】
【図１】本発明の実施形態と取付枠及びプレートを含む分解斜視図である。
【図２】同上におけるカバー本体及び通線部を示し、（ａ）は正面図、（ｂ）は左側面図、（ｃ）はＡ−Ａ線断面矢視図、（ｄ）は上面図、（ｅ）は右断面図、（ｆ）は背面図である。
【図３】同上における蓋体を示し、（ａ）は正面図、（ｂ）は下半断面図、（ｃ）は背面図、（ｄ）は右半断面図である。
【図４】同上を取付枠に取り付けた状態を示し、（ａ）は正面図、（ｂ）は右側面図、（ｃ）は下半断面図である。
【図５】同上におけるカバー本体の取付枠への取り付け手順を説明する説明図である。
【図６】同上を壁に設けた埋込孔に埋込配設する作業手順を説明する説明図である。
【図７】同上の他の構造を示し、（ａ）は正面図、（ｂ）は右断面図である。
【図８】同上の埋込配設された状態を示す断面図である。
【図９】同上の他の構成を示し、埋込配設された状態の断面図である。
【図１０】同上に固定手段を追加した構成を示し、（ａ）は正面図、（ｂ）は埋込配設した状態の右断面図、（ｃ）は下断面図である。
【図１１】同上に他の固定手段を追加した構成を示し、取付枠及びプレートを含む分解斜視図である。
【図１２】同上にさらに他の固定手段を追加した構成を示す斜視図である。
【図１３】従来例を示し、（ａ）は正面図、（ｂ）は右断面図である。
【符号の説明】
【００３６】
１  器体
２  カバー本体
３  蓋体
４  通線部
４ａ  前面側開口
４ｂ  背面側開口
１１０  ケーブル
【図１】
2005261165.tif 000003
【図２】
2005261165.tif 000004
【図３】
2005261165.tif 000005
【図４】
2005261165.tif 000006
【図５】
2005261165.tif 000007
【図６】
2005261165.tif 000008
【図７】
2005261165.tif 000009
【図８】
2005261165.tif 000010
【図９】
2005261165.tif 000011
【図１０】
2005261165.tif 000012
【図１１】
2005261165.tif 000013
【図１２】
2005261165.tif 000014
【図１３】
2005261165.tif 000015